(57)【要約】【課題】本発明では、カーペット類と床面との間に介装されてケーブルを配線するために使用され、コンセント等の設置場所あるいは設置場所の変更等に自由度を持たせて行うことができるケーブル配線用床材を提供することにある。【解決手段】平板状に形成された床材本体２に形成した配線用の溝３、４の交差部５に床材本体２の上面と略面一に形成した配線用ジョイントボックス７を固定し、配線用ジョイントボックス７に、前記床材本体２に形成した配線用の溝３、４の長手方向に開口した接続部１０を有する分岐コネクタ８を備えている。【選択図】図２
2005016161.tif 000002
【特許請求の範囲】
【請求項１】
片面に配線用の交差した複数本の溝を有する平板状に成形された床材本体と、
少なくとも前記床材本体の溝部を覆う保護カバー若しくは前記溝に対応する形状に成形された溝埋め込み部材と、
前記溝の交差部に固定され、前記床材本体の床表面と略面一に形成された配線用ジョイントボックスと、を備え、
前記配線用ジョイントボックスが、溝の長手方向に接続部が開口した分岐コネクタを備えてなることを特徴とするケーブル配線用床材。
【請求項２】
前記床材本体の厚さが１５〜２５ｍｍであることを特徴とする請求項１記載のケーブル配線用床材。
【請求項３】
前記配線用ジョイントボックスの外周形状が、前記交差部の内周形状に略一致させた形状を有することを特徴とする請求項１又は２記載のケーブル配線用床材。
【請求項４】
前記接続部が、前記交差部から少なくとも３方向に延びる溝の長手方向に開口してなることを特徴とする請求項１〜３のいずれかに記載のケーブル配線用床材。
【請求項５】
前記分岐コネクタが、前記床表面と略平行な軸回りに回動自在に配され、前記接続部が、前記分岐コネクタの起立時には外部に開口し、倒伏時には前記溝の長手方向に開口してなることを特徴とする請求項１〜４のいずれかに記載のケーブル配線用床材。
【発明の詳細な説明】
【０００１】
【発明の属する技術分野】
本発明は、カーペット類と床面との間に介装されてケーブルを配線するために使用されるケーブル配線用床材に関するものである。
【０００２】
【従来の技術】
この種のケーブル配線用床材として、平板状に成形されたパネル本体の片面に、配線用の溝を形成した配線用パネル（例えば、特許文献１参照）が知られており、該配線用パネルは床面に予め所定の配線をした後に、パネルの溝が該配線に合うようにしてパネルを一枚づつ敷設する方法で使用されるものである。
【０００３】
また、上方に開口する配線用ピットを有し床面に敷設される配線用床材の上に柔軟な仕上材を直置きし、柔軟な仕上材の配線ピットの開口に面する部分を剛板で形成した床配線用仕上材（例えば、特許文献２参照）が提案されている。
【０００４】
特許文献１に記載された配線用パネル２０は、図７に示すように予め床上に光ファイバーケーブル２１を配線し、図８に示すように配線用パネル２０の裏面側に形成した溝３、４内に光ファイバーケーブル２１が収まるように、配線用パネル２０を光ファイバーケーブル２１上に被せることで、床面に光ファイバーケーブル２１を布設することができる。図７に示すように光ファイバーケーブル２１と接続した機器２２の設置場所を変更する場合には、配線用パネル２０を剥がして新たに光ファイバーケーブル２１を配線し直すとともに、配線した光ファイバーケーブル２１の上を配線用パネル２０で被っていくことが必要であった。
【０００５】
このため、このような敷設方法では施工に非常に手間がかかり、また、配線換えをする場合は、カーペットを剥がした後、配線用パネル２０も外して配線を変更し、変更後の配線に合わせて溝３、４内に光ファイバーケーブル２１が収まるように再度配線用パネル２０の敷設を行わなければならず、作業が極めて煩雑である上に、配線用パネル２０と床面との間に配線を挟んで断線することもある。
【０００６】
特許文献２に記載された床配線用仕上材３０では、図９に示すように仕上材３０に裏打ちされたカーペット３５の剛板３１で囲まれた方形状の部分をカッター等により切除して引出口３２を形成し、この引出口３２から電源ケーブル３３を引き出して床コンセント３４に接続しなければならなかった。
【０００７】
このため、配線換えをする度毎に床配線用仕上材３０に裏打ちされたカーペット３５を剥がし、その後、配線を変更し、変更後の配線の引出し位置に合わせて再度、カーペット３５の剛板３１で囲まれた方形状の部分をカッター等により切除して引出口３２を形成し、この引出口３２から電源ケーブル３３を引き出して床コンセント３４と接続しなければならない。このため、作業が極めて煩雑である上に、以前に引出口３２を形成した部分が開口した状態で残ってしまい、外見上も見栄えが悪かった。
【０００８】
【特許文献１】
実開昭６１−２８８３４号公報
【特許文献２】
特公平５−６００１６号公報
【０００９】
【発明が解決しようとする課題】
本発明では、カーペット類と床面との間に介装されてケーブルを配線するために使用されるケーブル配線用床材において、コンセント等の設置場所あるいは設置場所の変更等に自由度を持たせて行うことができ、しかも、コンセント等を床面上に突出させることなく床面をスッキリさせた状態でコンセント等を床面内に収納することができるケーブル配線用床材を提供することにある。
【００１０】
【課題を解決するための手段及び作用効果】
本願発明の課題は本件請求項１〜５に記載された各発明により達成される。
即ち、本願発明では、平板状に形成された床材本体に形成した配線用の溝の交差部に床材本体の上面と略面一に形成した配線用ジョイントボックスを固定し、配線用ジョイントボックスが、前記床材本体に形成した配線用の溝の長手方向に接続部が開口した分岐コネクタを備えていることを最も主要な特徴となしている。
【００１１】
また、本願発明では、前記床材本体の厚さが１５〜２５ｍｍであること、更に、前記配線用ジョイントボックスの外周形状が、前記交差部の内周形状に略一致させた形状を有していること、更にまた、前記接続部が、前記交差部から少なくとも３方向に延びる溝の長手方向に開口していること、また、前記分岐コネクタが、前記床表面と略平行な軸回りに回動自在に配され、前記接続部が、前記分岐コネクタの起立時には外部に開口し、倒伏時には前記溝の長手方向に開口していることを主要な特徴となしている。
【００１２】
本願発明のケーブル配線用床材は上記構成を備えることにより、床材本体の溝の交差部に床材本体の上面と略面一に形成した配線用ジョイントボックスを固定しているので、配線用ジョイントボックスに例えば、電力幹線ケーブルや電話線、通信線、同軸ケーブル等を接続すれば、配線用ジョイントボックスに配した分岐コネクタにソケット等を溝内で接続することができ、分岐コネクタに接続したソケット等を溝から飛び出さずに収納することができ、床面からはソケット等に接続されたケーブルのみを配することができる。
【００１３】
また、床材本体の上面全体をカーペット等により覆うことができる。このとき、カーペット等として自己粘着性タイルカーペットを用いれば、配線からタイルカーペットの敷設までの作業を極めて簡単に行うことが可能となる。
【００１４】
床材本体の上面全体を覆ったカーペット等に直線状の切り込みを形成するだけで、ソケットを切り込みから溝内に挿入することができ、同切り込みを通して同ソケットに接続しているケーブルだけをカーペット等の上に引き出すことができる。
【００１５】
ソケットに接続したケーブルは、カーペット等からケーブルだけが引き出された構成となり、カーペット等の上にソケット接続用のコネクタを配することが必要なくなる。カーペット等の上面にコネクタを設置する必要がなく、コネクタによる突起物を形成しなくてすむ。
【００１６】
ソケットに接続したケーブルが長すぎる場合には、長すぎたケーブルをカーペット上で束ねる代わりに、束ねられる分の長さのケーブルを溝内に収納してしまうことができる。これにより、常にカーペット上に束ねられたケーブルを存在させることなくカーペット上を綺麗な状態で配線することができる。
【００１７】
特に本願発明においては、分岐コネクタの接続部は溝の長手方向に開口しているので、接続部に接続したソケットの挿入方向が溝の長手方向となり、ソケットが床材本体の上面から突出することなく床面を平らにした状態でソケットを溝内に収納させることができる。また、電力幹線ケーブル等の配線ケーブルや、ソケットに接続し溝内に収納したケーブルを保護カバー等で覆うことにより床材本体の上面は略面一状にすることができるので、床材本体に布設したカーペット等に窪み部を形成することがない。
【００１８】
好ましい形態として床材本体の厚さを１５〜２５ｍｍとして、既設の床面に本願発明のケーブル配線用床材を配設することにより、フリーアクセス用の床面のように３０ｃｍ近くも床面高さを高くすることなく床に必要なケーブルを配線することができるようになる。床材本体の厚さが１５ｍｍ〜２５ｍｍとなっているので、本願発明のケーブル配線用床材を敷設した室の出入口部における段差を少なくすることができ、出入口部におけるドア等を取り替えたり、出入口にスロープを形成したりせずに、そのままの状態で使用することができる。このため、本願発明のケーブル配線用床材は、新築時、改築時等を問わず必要な室に対して特別の工事を行わずに簡単にケーブルの布設を行うことができるようになる。
【００１９】
しかも床に配線したケーブルと接続できる配線用ジョイントボックスがケーブル配線用床材内に配されているので、配線用ジョイントボックスを備えたケーブル配線用床材と配線用ジョイントボックスを有しないケーブル配線用床材を複数用意することで、これらのケーブル配線用床材を床面に適宜敷き詰めて、所望の場所にコンセントを配することができる。このため、住宅等の床に自由度を持たせてコンセント等の設置を行うことができる。
【００２０】
また、配線用ジョイントボックスの外周形状が、前記交差部の内周形状に略一致させた形状を有しているので、配線用ジョイントボックスと溝の交差部との間に大きな隙間が形成されることがなく、したがって床材本体の上面に窪みが形成されずに配線用ジョイントボックスが溝の交差部内で移動等することがなく、確実に溝の交差部内に固定しておくことができる。
【００２１】
溝の交差部における少なくとも３方向に延びる溝の長手方向に分岐コネクタの接続部を開口させることにより、床上からケーブルを有する少なくとも３つのソケットをそれぞれ分岐コネクタの接続部に接続させることができる。同一方向に開口する接続部は、一種類の接続部に限定されるものではなく、複数の種類の接続部を同一方向に開口させて配することもできる。ソケットに接続していない接続部については、蓋等を取り付けておき、接続部内にゴミ等が付着するのを防止しておくこともできる。
【００２２】
分岐コネクタを床材本体の床表面と略平行な軸回りに回動自在に配し、接続部を分岐コネクタの起立時には外部に開口し、倒伏時には床材本体に形成した溝の長手方向に開口するように構成することで、ソケットを接続部に接続する時には分岐コネクタを起立させた状態で行い、ソケットの接続後は倒伏させて接続部とソケットとを溝内に収納させることができる。この構成により、ソケットの接続時に接続部が上方を向いているので、ソケットの接続部への接続を容易に行うことができる。
【００２３】
なお、本願発明は、フィースビルの床を始めとして病院や学校等の床、住宅等の床等に対して幅広く使用することができ、コンセント等の設置場所或いは設置場所の変更等に自由度を持たせて行うことができる。しかも、コンセント等を床面上に突出させることなく床面をスッキリさせた状態でコンセント等を床面内に収納することができる有用な発明である。
【００２４】
【発明の実施形態】
本願発明のケーブル配線用床材は、住宅等の床に自由度を持たせてコンセント等の設置を行うことができ、しかもコンセント等を床面上に突出させることなく床面内に収納することができるようにするものである。しかも、本願発明によるケーブル配線用床材を布設後であっても、配線用ジョイントボックスを内臓したケーブル配線用床材のユニットを取り外し、他の場所のユニットと交換することにより床コンセントの位置を自由に変更することができる。
【００２５】
特に、床材本体が１５〜２５ｍｍの厚さのケーブル配線用床材を構成することにより、住宅等の床の高さを格別高くすることなしに、床に自由度を持たせてコンセント等の設置を行うことができるようなる。また、コンセント等の分岐コネクタを有する配線用ジョイントボックスを、ケーブル配線用床材の床材本体に形成した溝の交差部に固定し、配線用ジョイントボックスの外周形状を交差部の内周形状に略一致させることができる。
【００２６】
更に、配線用ジョイントボックスに設けた分岐コネクタ８の接続部を交差部の少なくとも３方向に開口するように構成することができる。更にまた、分岐コネクタ８の接続部が溝の長手方向及び床材本体の上表面から外部に開口するように回動自在に構成することもできる。
以下、本発明の好適な実施例を添付図面に基づいて具体的に説明する。
【００２７】
（実施例１）
図１は、本願発明に係わるケーブル配線用床材１の一例を示す全体斜視図である。図示例のケーブル配線用床材本体２には配線用溝３、４が縦横２本づつ所定の位置に設けてある。また、図２には、配線用溝３、４の交差部５の部分拡大図を示している。
【００２８】
床材本体２の材質は特に限定されないが、成形を容易とする点から、ポリオレフィン樹脂、塩化ビニル樹脂、ポリエステル樹脂、ポリアミド樹脂、ポリウレタン樹脂等の各種合成樹脂、及びポリウレタン等の硬質発泡樹脂等を好適に用いることができる。
【００２９】
またケーブル配線用床材１は最終的にはカーペットの下の目につかない所に敷かれることが望ましく、廃材から回収したこれらの樹脂の再生品を用いてケーブル配線用床材を成形することもできる。むしろ、こうした再生品を使用することは経済面、省資源及び環境保護の面からも望ましいことである。
【００３０】
上述の樹脂を用いた場合の床材本体２の成形法としては、カレンダー成形、押出成形、圧縮成形、射出成形、Ｔダイ成形、発泡成形等の各種成形法を採用することができ、床材本体２を所定の幅と深さの溝を有する平板状に成形できる方法であれば特に限定されるものではない。
【００３１】
なお、上記溝３、４の数は縦方向又は横方向に１本だけ形成してもよいが、図１のように縦横２本又はそれ以上設けておくと多様な配線に対応できるので望ましい。また、ケーブル９を屈曲させて配線する場合を考慮して、図１、２に示すように横溝３と縦溝４の交差部５の四隅を切り欠いて、該交差部を略八角形状にしておくと屈曲配線が容易となる。
【００３２】
床材本体２の厚さは、配線するケーブルの太さ、従って溝３、４の深さにもよるが、できるだけ薄いほうが軽量に構成することができる。床材本体２を床面に敷いたときにおける天井高さを心配する必要がなく、交差部５に配設固定する配線用ジョイントボックス７に分岐コネクタ８の接続部が形成できる厚さｔとして、好ましくは１５〜２５ｍｍ程度の厚さが好適な範囲として望ましい厚さｔである。また、溝の幅は５０ｍｍ以下、深さは２３ｍｍ以下の範囲で、配線するケーブル９の太さ及び本数、および分岐コネクタ８に形成する接続部の形態に応じて適宜設定すればよい。
【００３３】
床材本体２の溝部２，３以外の下部に、溝部２、３間の床表面の裏面側に図示せぬ凹部を設けることで、床材本体２の重量を軽減することができ、且つ防音効果を高めることもできる。しかしながら、これらの点に対する考慮が不要な場合には必ずしも床表面の裏面側に前記凹部を形成しなくてもよい。
【００３４】
図２に示すように、交差部５に配した配線用ジョイントボックス７における分岐コネクタ８の接続部１０は、同接続部１０に接続するケーブル１２のソケット１１に応じて各種形態の接続部を形成しておくことができる。この場合、配線用ジョイントボックス７に接続したケーブル９を接続部１０の形態に応じて、電源線、電話線、通信線、テレビ線、同軸ケーブル等の各種ケーブルを接続させることができる。各種ケーブルの接続は、配線用ジョイントボックス７の上面をねじ等により固定できる蓋体とし、同蓋体を外すことで配線用ジョイントボックス７内のケーブル接続部と接続させることも、床材本体２の溝部２，３側の配線用ジョイントボックス７の端部にケーブル接続部を配設しておくこと等により行うことができる。また、これらの各種ケーブルを複数種適宜組み合わせてそれぞれを接続しておくこともできる。
【００３５】
図２に示すように複数の種類の接続部を配線用ジョイントボックス７の分岐コネクタ８に形成しておくこともできる。この場合には、溝部３、４を通して配線した必要なケーブル９を接続できる接続手段を配線用ジョイントボックス７に形成し、同接続手段と対応する接続部１０とを配線用ジョイントボックス７内で電気的な接続を行っておくことが必要である。
【００３６】
図３では、４枚のケーブル配線用床材１のユニットを正方形状に配した一例を示している。図示では、右下の部位には配線用ジョイントボックス７を内臓したケーブル配線用床材１のユニットが配され、他の部位には配線用ジョイントボックス７を内臓していないケーブル配線用床材１を配している。右下の部位に配したケーブル配線用床材１の配線用ジョイントボックス７に壁等から配線したケーブル９を接続することで、床面に分岐コネクタ８を設置することができる。分岐コネクタ８は、図２に示すように３方向に限定されるものではなく、一方向でも２方向でも、或いは交差部５の全ての溝方向に配することができるものである。
【００３７】
各ユニットと同一の平面形状を有する図示せぬ自己粘着性のカーペットが床材本体２の表面に着脱自在に接着されて配されている。右下の部位における自己粘着性のカーペットにおいて、配線用ジョイントボックス７近傍の溝部３または４に沿って所定長さの切り込みを形成し、同切り込みを通してソケット１１をカーペットの表面から裏面側に通すことで、ソケット１１を分岐コネクタ８の接続部１０と接続させることができる。ソケット１１に接続しているケーブル１２の長さが長いときには、所定量の同ケーブル１２を床材本体の溝３または４内に収納させておくことができる。
【００３８】
ケーブル配線用床材１の各ユニットにおける平面形状は、図３に示すように正方形形状に限定されるものではなく、長方形形状等形状に形成することができるものである。その際、隣接するケーブル配線用床材１の溝３、４が連通するように溝の位置を配しておくことが必要である。
【００３９】
図４では、図３で示した右下部位と右上部位におけるケーブル配線用床材１のユニットを取り外して配置位置を交換した例を示している。このように、ケーブル配線用床材１のユニットを取り外して他のユニットと取り替えるだけで、配線用ジョイントボックス７の位置を実際上必要な位置に配置することができる。しかも、図２に示すように、電源コンセントとは異なる方向を向いている電話線用のコネクタに新たに電話線を接続したいときには、同電話線用のコネクタ側の溝上部にあるカーペットの一部に新たに切り込みを形成しさえすれば、同切り込みから電話線用のコネクタに接続した電話線をカーペット上に配線することができる。
【００４０】
溝３，４内に配線したケーブル９上を保護カバー６で覆うことによりケーブル配線用床材１の上面を窪みのない状態とすることができる。分岐コネクタ８の接続部１０及び同接続部１０に接続したソケット１１の部位に関しては、同ソケット１１のケーブル１２が挿入できるスリットを形成した保護カバー６を被せるなどを行うことにより、ケーブル配線用床材１の上面をほとんど窪みのない状態とすることもできる。保護カバー６の代わりに溝３，４に対応する形状に成形された図示せぬ溝埋め込み部材を用いることもできる。溝埋め込み部材を予め各溝に埋め込んでおき、必要な溝について予め埋め込んでおいた溝埋め込み部材を取り外して溝を形成することもできる。
【００４１】
尚、このとき、溝埋め込み部材の底面側にケーブルを嵌挿する凹溝を形成しておくこともできる。また、溝埋め込み部材の材質は特に限定されないが、床材本体２と同じであるのが好ましい。その成形法は床材本体２と同様に種々な成型法が採用可能である。
【００４２】
本発明のケーブル配線用床材１の敷設にあたっては、溝３、４側を上面として必要な数の床材２を床面に密接して敷き詰め、配線に必要な溝部に埋め込まれている溝埋め込み部材を取り外して溝内に所定の配線を行うが、配線後、床材上に敷設されるカーペット上からの外力によるケーブルの損傷を防止するために保護カバー６を設けるのが好ましい。保護カバーの形状としては、溝部だけを覆う図示せぬ断面コ字型のカバーが好適に用いられる。
【００４３】
また、溝３、４の交差部５に設けるカバーとしては、交差部５の平面形状と略同一形状とし、図１に示す略八角形の交差部５形状のときには、平面形状が略八角形で溝部２，３の交差部の四隅に対応する位置に４本の脚部を有する図示せぬカバーが好適に用いることができる。保護カバー６の材質としては樹脂製、金属製等、カーペット上からの外力に耐え得る強度を有し且つ成形性の良いものであればよく、その厚さは強度さえ問題なければできるだけ薄い方が望ましい。
【００４４】
なお、本発明のケーブル配線用床材１は、５０ｃｍ角等のタイルカーペットと同じ大きさで使用することも、或いは広幅、長尺のシート状物として使用することも可能であり、更に本発明のケーブル配線用床材１の上に敷設するカーペットとして、例えば特開昭６１−２７３３１５号公報に開示されている自己粘着性タイルカーペットを用いれば、配線からタイルカーペットの敷設までの作業を極めて簡単に行うことが可能となる。また、タイルカーペットと同じ大きさで使用する場合は、床材の敷設の際、隣り合う床材の配線に使用しない隣接する溝間に跨る状態に埋め込み部材を埋め込むことにより、床材同士のずれを防止することもできる。
【００４５】
（実施例２）
図５は、配線用ジョイントボックス７の分起コネクタ８が回動自在の構成を有する一例について、交差部５の部分拡大図を示したものである。図５に示すケーブル配線用床材１は、図１におけるケーブル配線用床材１において、配線用ジョイントボックス７の構成が一部異なるだけで他の構成は実施例１におけるケーブル配線用床材１と同一の構成を有している。以下においては、実施例１におけるケーブル配線用床材１と同一の構成については、同一の図面符号を用いることで、その説明を省略することとする。
【００４６】
図６に、配線用ジョイントボックス７だけを取り出して示すように、分岐コネクタ８は、配線用ジョイントボックス７の上面と平行な軸を回転中心として起伏自在に配されている。図６では、起伏自在の分岐コネクタ８が１つある場合についての例示であるが、図５のように交差部５の３方向にそれぞれ起伏自在の分岐コネクタ８を配することができる。分岐コネクタ８は、１方向とか３方向に限定されるものではなく、２方向でも交差部の全ての溝方向に配することができるものである。
【００４７】
また、分岐コネクタ８  の接続部への配線は、分岐コネクタ８の左右の回動軸部にスリップリング等を設けて電気的な接続路を形成することも、分岐コネクタ８  の一部に配線用の切欠き等を形成して、分岐コネクタ８  の回動時に接続部１０と配線用ジョイントボックス７間での配線と干渉しないように構成しておくこともできる。
【００４８】
図６に示すように、分岐コネクタ８を起立させて接続部１０を上方に向けた状態で、カーペットの切り込み口を通したソケット１１を接続部に挿入することでソケット１１の挿入作業を容易に行うことができる。ソケット１１を接続部１０に挿入後、分岐コネクタ８を倒伏させることで、ソケット１１を溝３または４内に収納することができる。
【００４９】
分岐コネクタ８は、全て回動自在に構成することも、必要な分岐コネクタ８のみ回動自在とすることもできる。分岐コネクタ８の接続部１０は、各種コネクタ形状に形成しておくこともできる。
【図面の簡単な説明】
【図１】本願発明に係わるケーブル配線用床材の全体斜視図である。
【図２】交差部の部分拡大図である。
【図３】ケーブル配線用床材の敷設例を示す平面図である。
【図４】ケーブル配線用床材の他の敷設例を示す平面図である。
【図５】交差部の部分拡大図である。
【図６】配線用ジョイントボックスの拡大斜視図である。
【図７】従来のケーブル配線用床材の全体平面図である。
【図８】配線用パネルの使用状態を示す図である。
【図９】他の従来例であるケーブル配線用床材の全体平面図である。
【符号の説明】
１        ケーブル配線用床材
２        床材本体
３        配線用溝
４        配線用溝
５        配線用溝の交差部
６        保護カバー
７        配線用ジョイントボックス
８        分岐コネクタ
９        ケーブル
１０      接続部
１１      ソケット
１２      ケーブル
２０      配線用パネル
２１      光ファイバーケーブル
２２      機器
２３      溝
３０      床配線用仕上材
３１      剛板
３２      引出口
３３      電源ケーブル
３４      床コンセント
３５      カーペット
【図１】
2005016161.tif 000003
【図２】
2005016161.tif 000004
【図３】
2005016161.tif 000005
【図４】
2005016161.tif 000006
【図５】
2005016161.tif 000007
【図６】
2005016161.tif 000008
【図７】
2005016161.tif 000009
【図８】
2005016161.tif 000010
【図９】
2005016161.tif 000011